(57)【要約】【課題】未記帳データ等を通帳に印字する機能を有する自動取引装置において、高度精度な印字精度を必要とせず、また、簡単な処理で、長期に亘って印字開始行を確実に検出できるようにする。【解決手段】印字部１１に印字用リボン切替部１１ａを設けるとともに、インクリボンを行センス印字用リボン８ａと通常の印字を行う通常印字用リボン８ｂとに分け、行センスエリア９ａまたは９ｂへの印字のときは行センス印字用リボン８ａを用いて印字するように印字用リボン切替部１１ａにより切り替えるようにした。【選択図】図１
2009026194.tif 000002
【特許請求の範囲】
【請求項１】
通帳のページ上の印字を光学的に読み取り、取得した印字データから印字済み行を解析して、印字済み行の次の行から印字を行う通帳取扱装置において、
通帳の特定エリアを印字済み行の検出エリアとするとともに、インクリボンを複数の領域に分割し、前記特定エリアへの印字の際に、前記いずれかの領域を用いて印字するようにしたことを特徴とする自動取引装置。
【請求項２】
前記特定エリアであって、最終行の印字のときに、前記いずれかの領域を用いて印字するようにしたことを特徴とする自動取引装置。
【発明の詳細な説明】
【技術分野】
【０００１】
本発明は、銀行等の金融機関で使用される通帳記帳機等を搭載する自動取引装置に関するもので、特に、取引データを印字すべき行を高精度に検出できるようにするための印字技術および光学的に読み取って印字すべき行を検出する技術に関する。
【背景技術】
【０００２】
一般に、通帳を取り扱う自動取引装置では、インクリボン（以下「印字用リボン」という）を用いたインパクトプリンタにより、通帳に取引ごとに、順次、当該取引年月日、支払金額、預金額、差引残高などの取引データを印字している。
【０００３】
この取引データを印字すべき行、すなわち、すでに印字された最終行を検出するために、印字済み行検出処理により、通帳の各ページの印字された箇所をイメージセンサなどの光学センサで読み取り、その濃淡およびパターンを解析することにより最終行が何行目までかを判定している。
【０００４】
しかしながら、裏透過の印字ある場合などでは、印字用リボンが薄くなってくると、裏透過の印字を誤って印字済み行と判断してしまうことがあり、当該問題を解決するために次のような技術が開示されている（例えば、特許文献１参照）。
【０００５】
すなわち、ページの表裏で印字位置がずれるように印字を行い、印字済み行を解析するために、表裏印字判定部を設け、あらかじめ決められている１行分の解析エリア内に印字データが現れる場合には表からの印字と判定し、２行分の解析エリアにまたがって印字データが現れる場合は裏透過の印字と判定する。そして、表からの印字と判定された印字データを用いて印字済み行の解析を行う技術があった。
【特許文献１】特開平９−３１４９４６号公報
【発明の開示】
【発明が解決しようとする課題】
【０００６】
しかしながら、従来の印字技術および光学的に読み取って印字すべき行を検出する技術では、表印字と裏印字を高度精度に印字する技術が必要であり、また、読み取ったイメージデータの処理も複雑なものであった。
【０００７】
或いは、さらに印字用リボンが薄くなってくると、やはり最終行の検出を誤り、磁気ストライプに記録された磁気データの行数データとの不一致により通帳が返却されてしまったり、磁気ストライプに行データを記録していない通帳などでは、既に印字してある薄い印字行に、上書き印字されてしまったりする問題があった。
【課題を解決するための手段】
【０００８】
本発明は、前述の課題を解決するために次の手段を採用する。すなわち、通通帳のページ上の印字を光学的に読み取り、取得した印字データから印字済み行を解析して、印字済み行の次の行から印字を行う通帳取扱装置において、通帳の特定エリアを印字済み行の検出エリアとするとともに、インクリボンを複数の領域に分割し、前記特定エリアへの印字の際に、前記いずれかの領域を用いて印字するようにした。
【発明の効果】
【０００９】
本発明の自動取引装置によれば、通帳の特定エリアを印字済み行の検出エリアとするとともに、インクリボンを複数の領域に分割し、前記特定エリアへの印字の際に、前記いずれかの領域を用いて印字するようにしたので、前記特定エリアへの印字濃度の低下を抑えることができ、印字済み行を確実に検出することができる。
【発明を実施するための最良の形態】
【００１０】
以下、本発明に係る実施の形態例を、図面を用いて説明する。なお、図面に共通する要素には同一の符号を付す。
【実施例１】
【００１１】
（構成）
図１は、実施例１の自動取引装置の構成を示すブロック図である。自動取引装置１は、カードリーダプリンタ２、通帳記帳機３、現金入出金機４、操作部５およびこれらの各部を制御する制御部６から構成される。
【００１２】
カードリーダプリンタ２は、顧客のカードを取り込み、カードの磁気ストライプに対してデータの読み書きを行って排出する機能や、レシートの印字発行を行う機能を設けている。
【００１３】
そして、通帳記帳機３は、目視による確認のためのデータ（以下「目視データ」という）を通帳に印字する印字部１１、印字用リボン８を所定の位置に切り替える印字用リボン切替部１１ａ、通帳の磁気ストライプからデータを読み取る磁気データ読取部１２、通帳の磁気ストライプにデータを書き込む磁気データ記録部１３、通帳の頁マークのページ数や印字済み行を読み取る頁行読取部１６、通帳を搬送する通帳走行部１４、そして通帳記帳機３の全体を制御する通帳制御部１５を設けている。
【００１４】
現金入出金機４は、図示していないが、紙幣入出金機や硬貨入出金機等から構成される。操作部５は、タッチパネルやディスプレイ等から構成される。
【００１５】
そして、自動取引装置１は、顧客名、その顧客が口座を開設した営業店名、口座番号、取引履歴等を管理するデータセンタ１７と回線を介して接続される。
【００１６】
図２は、自動取引装置の外観斜視図であり、自動取引装置１の正面には、カードリーダプリンタ２と顧客との間でカードおよびレシートの授受を行うためのカード挿入排出口３１、通帳記帳機３と顧客との間で通帳の授受を行うための通帳挿入排出口３２、現金入出金機４を構成する紙幣入出金機と顧客との間で紙幣の授受を行う紙幣投入排出口３３、現金入出金機４を構成する硬貨入出金機と顧客との間で硬貨の授受を行う硬貨投入排出口３４、操作部５を構成するタッチパネルとディスプレイからなる表示パネル３５等が設けられている。
【００１７】
上記構成において、例えば、顧客が操作部５の表示パネル３５を操作して入金取引を選択して入金取引を行う場合、顧客の通帳を通帳挿入排出口３２から挿入させ、通帳走行部１４で当該通帳を取り込み、磁気データ読取部１２で当該通帳の磁気ストライプから磁気データを読み取る。図示していないが、通帳の磁気ストライプには、一般に、銀行名、営業店名、口座番号、氏名、残高、最終印字頁および最終印字行が記録される。
【００１８】
通帳制御部１５は磁気データ読取部１２で読み取った上記磁気ストライプの記録データを制御部６に送り、制御部６はこの記録データをデータセンタ１７に送り、データセンタ１７では照合を行って該当する口座を特定できれば、制御部６に入金取引ができることを通知する。
【００１９】
入金取引ができる状態であれば、制御部６は現金入出金機４を制御して顧客の現金を取り込み、鑑別や計数を行い、その結果をデータセンタ１７に通知する。データセンタ１７では、取引結果に応じて該当口座の残高等のデータを更新するとともに、その更新した結果を制御部６に通知する。
【００２０】
制御部６では、通帳記帳機３を制御して、挿入された通帳の頁、行データを頁行読取部１６にて読み取り、正しい挿入頁が挿入されたと判断できれば、通帳に目視データとして未記帳データや残高を印字するとともに、磁気ストライプの残高と最終印字頁・行のデータを更新して顧客に返却する。
【００２１】
図３は、印字部における印字用リボン切替部の構成図である。２１はプラテンであり、図示しない印字ヘッドが印字位置Ｐに固定的に設けられている。受台２３は、図示しないフレームにピボッド２４を介して回動自在に装着されており、受台２３には、着脱自在とされたリボンカセット２２が設けられている。
【００２２】
すなわち、ピボット２４を中心として、受台２３をＦ方向またはＲ方向に回動させることにより、印字用リボン８の行センス印字用リボン８ａと通常印字用リボン８ｂが移動して印字ヘッドの位置である印字位置Ｐに来るようになっている。
【００２３】
受台２３を回動する機構として、受台２３にはセクターギア２５が固着されており、これに噛合う中間ギア２６と、シフトモータ２８のシャフト先端に取り付けられたモータギア２７が設けられており、通帳制御部１５の制御のもと、所定のリボン位置切替信号を出力してシフトモータ２８に伝達することにより印字用リボン切替駆動が行われる。
【００２４】
図４は、実施例１の自動取引装置にて用いられる印字用リボンの構成図である。印字用リボン８は、本実施例では半分の領域に分割しており、行センス印字用リボン８ａは、詳細後述の図５の行センスエリア９ａまたは９ｂに印字を行うときに用いられ、通常印字用リボン８ｂは通常エリア１８ａまたは１８ｂに印字を行うときに用いられるようになっている。
【００２５】
なお、本実施例では印字用リボンを半分に分けた構成となっているが、受台２３の回動機構の変更を伴うが、１／３、２／３に分けるようにしてもよいし、その他のわけ方をするようにしても勿論よい。
【００２６】
以上のように印字用リボンを分けた構成とすることにより、行センス印字用リボン８ａによる印字の頻度は通常印字用リボン８ｂに比べ極めて少なくなるので、行センス印字用リボン８ａの印字濃度を濃いままに維持することができる。
【００２７】
以上の構成により、各種の行センスエリアが設けられた通帳の構成を図５および図６を用いて説明する。図５のＡ銀行の通帳１９ａの例では、縦の頁マーク１０ａがあらかじめ各ページの所定の位置に印刷されており、年月日欄に行センスエリア９ａが設けられている。このように、光学センサの位置を固定的にすることができるので、一般には、頁マークのセンスと行センスは同様のエリアとするのがよい。
【００２８】
図６のＢ銀行の通帳１９ｂの例では横の頁マーク１０ｂがあらかじめ各ページの所定の位置に印刷されており、同図に示したように、差引残高欄に行センスエリア９ｂが設けられている。
【００２９】
なお、図５、図６の印字例のように年月日欄、差引残高欄のように常に印字される欄を行センスエリアとして設定すればよく、すべての行に印字される欄であればその他の欄を行センスエリアと設定しても勿論よい。また、差引残高欄を用いる場合のように印字される桁数が変化する場合では、必ず印字される桁、例えば一位の桁だけを行センスエリアと設定することもできる。
【００３０】
（動作）
以上の構成により実施例１の自動取引装置は、以下のように動作する。この動作を前述の図５、図６の通帳印字例および図７の自動取引装置の動作フローチャート図を用いて以下詳細に説明する。
【００３１】
まず、顧客が図２の通帳挿入排出口３２に通帳１９の印字頁を開いた状態で挿入すると（ステップＳ１）、図１で説明した通帳走行部１４にて通帳１９を取り込み、磁気データ読取部１２にて通帳１９の磁気ストライプから磁気データを読み取る（ステップＳ２）。
【００３２】
そして、読み取った磁気データをデータセンタ１７に送信し、取引対象の口座を特定する（ステップＳ３）。
【００３３】
次に、データセンタ１７にて未記帳データがあるかないかの判断を行い（ステップＳ４）、未記帳データがない場合はそのまま通帳を排出し（ステップＳ１６）、未記帳データがある場合はデータセンタ１７より未記帳データを受信する（ステップＳ５）。
【００３４】
次に、通帳の各ページに未記帳データの印字を行うために、頁行読取部１６を走査させ、頁マーク１０ａまたは１０ｂから現在のページを読み取るとともに、行センスエリア９ａまたは９ｂの行センスを開始する（ステップＳ６）。
【００３５】
図５、図６に示したように、Ａ銀行の場合の通帳１９ａは頁マーク１０ａ下部の年月日印字部が行センスエリア９ａとなっており、Ｂ銀行の場合の通帳１９ｂは頁マーク１０ｂ下部の差引残高印字部が行センスエリア９ｂとなっているので、頁行読取部１６はこの行センスエリア９ａまたは９ｂのイメージを図示しない光学センサで読み取り、印字済の最終行を解析する（ステップＳ７）。
【００３６】
そして、印字開始行位置まで通帳１９ａまたは１９ｂを搬送し（ステップＳ８）、印字部１１にて通帳１９ａまたは１９ｂの紙面上に目視データの印字を開始する。このとき、印字する位置が、行センスエリア９ａかどうかの判定を行う（ステップＳ９）。
【００３７】
例えば、ステップＳ９にて、図５の通帳１９ａに印字を行う場合で、印字する位置が行センスエリア９ａであった場合は、図３、図４を用いて説明したように行センス印字用リボン８ａ側を印字位置Ｐの位置に切り換え（ステップＳ１０）、印字を行う（ステップＳ１１）。
【００３８】
すなわち、通帳制御部１５は、印字用リボン切替部１１ａのシフトモータ２８にリボン位置切換指示を行い、ピボット２４を中心として、受台２３をＲ方向に回動させ、印字用リボン８ａ側に切り替えて印字を行う。図５の例では、年月日欄が行センスエリア９ａとなっているので、取引年月日が行センス印字用リボン８ａ側にて印字される。
【００３９】
そして、まだ未記帳データがあるときは（ステップＳ１４）、ステップＳ９に戻り、印字する位置が行センスエリア９ａであるかどうかを判定し、行センスエリア９ａでない場合、すなわち、通常エリア１８ｂの未記帳データがある場合は通常印字用リボン８ｂ側を印字位置Ｐの位置に切り替え（ステップＳ１２）、印字を行う（ステップＳ１３）。図５の例では、支払金額欄、預金額欄、差引残高欄が通常エリア１８ｂとなっているので、これらが通常印字用リボン８ｂ側にて印字される。
【００４０】
そして、さらに未記帳データがあるどうかを判定し（ステップＳ１４）、未記帳データがある場合は、ステップＳ９に戻り、印字する位置が行センスエリア９ａであるかどうかを判定し、以降の動作を繰り返す。
【００４１】
なお、ステップＳ１４にて、未記帳データがあると判定した場合の処理として、必要に応じて図示しない改頁部にて頁をめくり動作を行う。
【００４２】
そして、印字すべき全てのデータの印字を終了すると（ステップＳ１４）、磁気データ記録部１３にて磁気データの更新が行われ（ステップＳ１５）、通帳挿入排出口３２より通帳を排出して（ステップＳ１６）、通帳記帳処理を終了する。
【００４３】
なお、図６に示したような通帳の印字の場合では、差引残高欄が行センスエリア９ｂとなっているので、差引残高データのとき行センス印字用リボン８ａ側に切換えられて印字され、年月日欄、支払金額欄、預金額欄が通常エリア１８ｂとして通常印字用リボン８ｂ側にて印字される。
【００４４】
以上の動作により、行センスエリア９ａまたは９ｂの印字の場合だけ、行センス用印字用リボン８ａを用いるようにすることにより、インクリボン使用頻度が極めて少なくなるため、通常印字用リボン８ｂ側よりも常に濃い印字濃度に保つことができ、濃い印字濃度で印字された行センスエリア９ａまたは９ｂの印字にて行センスすることにより確実に最終行を検出することができる。
【００４５】
なお、ステップＳ９において判定する行センスエリアの設定は、例えば、図８に示したように、印字する欄ごとに行センスエリアであるかどうかを格納して置き、図５の例では、年月日欄のレジスタに"１"をセットして置き、他の欄のレジスタに"０"をセットして置くことにより、"１"がセットされた欄に印字するときだけ、行センス用印字用リボン８ａを使用して印字するようにする。
【００４６】
同様に、図６の例では、差引残高欄のレジスタに"１"をセットして置き、他の欄のレジスタに"０"をセットして置くことにより、差引残高欄に印字するときだけ、行センス用印字用リボン８ａを使用して印字するようにする。
【００４７】
なお、以上の設定テーブルの例では、年月日欄或いは差引残高欄の一方のみに対応するレジスタを"１"とする例を示したが、両方とも或いは他の欄に"１"をセットし、これらの欄に印字するときだけ、行センス用印字用リボン８ａを使用して印字し、これらの欄の印字にて行センスするようにしてもよい。
【００４８】
また、行センスエリア設定テーブルとして、印字する欄ごとに設定するのではなく、図９に示したように、通帳の実寸法に基づいて範囲を指定するようにしても勿論よい。
【００４９】
また、上記設定テーブルは、銀行ごとにあらかじめ設定して自動取引装置に格納しておいてもよいし、各通帳の磁気ストライプに書き込んで置き、ステップＳ２の磁気データ読み取りの際に当該設定テーブルを読み取るようにしてもよい。
【００５０】
（実施例１の効果）
以上のように、実施例１の自動取引装置によれば、通帳の特定エリアを印字済み行の検出エリアとするとともに、インクリボンを複数の領域に分割し、前記特定エリアへの印字の際に、前記いずれかの領域を用いて印字するようにしたので、前記特定エリアへの印字濃度の低下を抑えることができ、印字済み行を確実に検出することができる。
【実施例２】
【００５１】
（構成）
実施例２の自動取引装置１では、未記帳データを印字する際、最終印字行の行センスエリア９ａまたは９ｂに印字する場合だけ行センス用印字用リボン８ａを用いて印字するようにしている。その他の構成は実施例１の自動取引装置の構成と同様であるため、簡略化のためにその詳細な説明は省略する。
【００５２】
（動作）
以上の構成により実施例２の自動取引装置は、以下のように動作する。この動作を図１０、図１１の通帳印字例および図１２の自動取引装置の動作フローチャート図を用いて以下説明する。
【００５３】
まず、顧客が通帳挿入排出口３２に通帳を挿入し、通帳の磁気ストライプから磁気データを読み取り、取引対象の口座を特定する（ステップＳ２１ないしステップＳ２３）。
【００５４】
次に、データセンタ１７にて未記帳データがあるかないかの判断を行い、未記帳データがない場合はそのまま通帳排出され、未記帳データがある場合はデータセンタ１７より未記帳データを受信する（ステップＳ２４およびステップＳ２５）。
【００５５】
そして、通帳の各ページに未記帳データの印字を行うために、行センスエリア９ａまたは９ｂの行センスを開始し、この行センスエリア９ａまたは９ｂのイメージを図示しない光学センサで読み取り、印字済の最終行を解析し、通帳１９ａまたは１９ｂを印字開始行位置まで搬送する（ステップＳ２６ないしステップＳ２８）。
【００５６】
次に、最終行への印字かどうかの判定を行い（ステップＳ２９）、最終行への印字ではない場合は、行センスエリア９ａまたは９ｂであるかどうかに関わらずすべて通常印字を行うために、通常印字用リボン８ｂ側を印字位置Ｐの位置に切り替え（ステップＳ３４）、年月日欄、支払金額欄、預金額欄、差引残高欄を印字する（ステップＳ３５）。
【００５７】
そして、まだ未記帳データがあるかどうかの判定を行い（ステップＳ３３）、未記帳データがあるときは、ステップＳ２９に戻り、最終行への印字かどうかどうか判定し（ステップＳ２９）、以降の動作を繰り返す。
【００５８】
一方、ステップＳ２９にて、最終行への印字であった場合は、印字する位置が行センスエリア９ａかどうかを判定し（ステップＳ３０）、行センスエリア９ａだった場合は、行センス印字用リボン８ａ側を印字位置Ｐの位置に切り替え（ステップＳ３１）、印字を行う（ステップＳ３２）。図１０の例では、行センスエリア９ａである年月日欄がリボンシフト印字エリア７ａとなっているので、当該エリア７ａに取引年月日の印字を行う。
【００５９】
そして、さらに未記帳データがあるかどうかの判定を行い（ステップＳ３３）、未記帳データがあるときは、ステップＳ２９に戻り、最終行への印字かどうかどうか判定する（ステップＳ２９）。
【００６０】
最終印字行であって行センスエリア９ａでない場合は（ステップＳ３０）、通常印字用リボン８ｂ側を印字位置Ｐの位置に切り替え（ステップＳ３４）、印字を行う（ステップＳ３５）。図１０の例では、支払金額欄、預金額欄、差引残高欄が通常エリア１８ｂとなっているので、これらが通常印字用リボン８ｂ側にて印字される。
【００６１】
全ての未記帳データの印字が終了すると、磁気データ記録部１３にて磁気データの更新を行い（ステップＳ３６）、通帳挿入排出口３２より通帳を排出して（ステップＳ３７）、通帳記帳処理を終了する。
【００６２】
なお、図１１に示したような通帳の印字の場合では、差引残高欄が行センスエリア９ｂ、リボンシフト印字エリア７ｂがその最終行となっているので、最終行の差引残高データのときに行センス印字用リボン８ａ側に切換えられて印字され、他の年月日欄、支払金額欄、預金額欄が通常エリア１８ｂとして通常印字用リボン８ｂ側にて印字される。
【００６３】
（実施例２の効果）
以上のように、実施例２の自動取引装置によれば、特定エリアであって最終行の印字のときに、前記いずれかの領域を用いて印字するようにしたので、前記いずれかの領域の印字濃度の低下を最小限に抑えることができるとともに、全印字行に対してリボンを切り替える必要がないので、印字処理速度を高速にすることもできる。
【００６４】
《その他の変形例》
以上の実施例の説明では、インクリボンの使用領域を分け、行センスエリアに印字する場合とその他のエリアに印字する場合とで、当該インクリボンの使用領域を切り替えるように説明したが、行センスエリアに印字する場合に、印字速度を低速にして濃く印字したり、印字ヘッドへの印加電流値を高くして強く印字、或いは複数回印字するようにして濃く印字するようにしてもよい。このような方法とすれば、リボン切り替え駆動部が不要となり、切り替えに要する時間を短くすることができる。
【００６５】
また、以上の実施例の説明では、１色の印字の例を示したが、黒と赤などのカラー印字を行う場合であっても、インクリボンを色ごとに複数の領域に分け、行センスエリアへの印字の際にいずれかの領域を用いて印字するようにすればよい。
【産業上の利用可能性】
【００６６】
本発明は、銀行等の金融機関で使用される通帳記帳機能を有する自動取引装置に広く用いることができる。
【図面の簡単な説明】
【００６７】
【図１】実施例１の自動取引装置の構成図である。
【図２】実施例１の自動取引装置の外観斜面図である。
【図３】実施例１の印字部における印字用リボン切替部の構成図である。
【図４】実施例１の自動取引装置にて用いられる印字用リボンの構成の説明図である。
【図５】実施例１の自動取引装置の通帳印字例である。
【図６】実施例１の自動取引装置の通帳印字例である。
【図７】実施例１の自動取引装置の動作フローチャート図である。
【図８】実施例１の自動取引装置の行センスエリア設定テーブルの例である。
【図９】実施例１の自動取引装置の行センスエリア設定テーブルの例である。
【図１０】実施例２の自動取引装置の通帳印字例である。
【図１１】実施例２の自動取引装置の通帳印字例である。
【図１２】実施例２の自動取引装置の動作フローチャート図である。
【符号の説明】
【００６８】
１  自動取引装置
３  通帳記帳機
７ａ、ｂ  リボンシフト印字エリア
８    印字用リボン
８ａ  行センス印字用リボン
８ｂ  通常印字用リボン
９ａ、９ｂ  行センスエリア
１０ａ、ｂ  頁マーク
１１  印字部
１４  通帳走行部
１６  頁読取部
２３  受け台
２４  ピボット
２５  セクターギア
２６  中間ギア
２７  モータギア
２８  シフトモータ
【図１】
2009026194.tif 000003
【図２】
2009026194.tif 000004
【図３】
2009026194.tif 000005
【図４】
2009026194.tif 000006
【図５】
2009026194.tif 000007
【図６】
2009026194.tif 000008
【図７】
2009026194.tif 000009
【図８】
2009026194.tif 000010
【図９】
2009026194.tif 000011
【図１０】
2009026194.tif 000012
【図１１】
2009026194.tif 000013
【図１２】
2009026194.tif 000014